(57)【要約】【課題】  イグナイタに過剰な応力を加えることなく、精度よく位置決めできる内燃機関用点火コイルを提供すること。【解決手段】  一次電流を断続するイグナイタを絶縁ケースの補助収容部に収容した内燃機関用点火コイルであって、前記イグナイタを保持し左右位置を規制する一対のアーム部材を備えたので、イグナイタに過剰な応力を与えることなく、精度よく位置決めできる。【選択図】  図１
2006328990.tif 000002
【特許請求の範囲】
【請求項１】
一次電流を断続するイグナイタを絶縁ケースの補助収容部に収容した内燃機関用点火コイルであって、
前記イグナイタを保持し左右位置を規制する一対のアーム部材を備えたことを特徴とする内燃機関用点火コイル。
【請求項２】
前記アーム部材は、絶縁ケースの補助収容部内壁面から立設されたことを特徴とする請求項１に記載の内燃機関用点火コイル。
【請求項３】
前記アーム部材は、補助収容部内に装着可能な位置決め治具から立設されたことを特徴とする請求項１に記載の内燃機関用点火コイル。
【請求項４】
前記位置決め治具は、イグナイタの底面側を規制する突起を有することを特徴とする請求項３に記載の内燃機関用点火コイル。
【発明の詳細な説明】
【技術分野】
【０００１】
本発明は、内燃機関用点火コイルに使用されるイグナイタを適正位置に過剰な応力を与えることなく設定することのできる内燃機関用点火コイルに関するものである。
【背景技術】
【０００２】
一般に、内燃機関における点火装置に使用されるイグナイタ１５は、その機能である、一次電流の通電及び遮断の為に、点火コイルの一次巻線１及び、車両に設置された駆動装置との接続端子２に電気的に接続されて使用される。この電気的接続に際し、例えば、図１２、１３に示すように、イグナイタ１５の正確な位置決めが必要であり、内燃機関用点火コイル３は、本体ケース４に袋状の補助収容部５を設け、該補助収容部５に設けたリブ状の突起６によって囲まれるその間にイグナイタ１５を配置し、接続端子２との接続位置が一定になるように配慮されている。
【発明の開示】
【発明が解決しようとする課題】
【０００３】
しかし、イグナイタ１５は一般的な半導体パッケージを使用しており、外形寸法精度はあまり良くない。
そのため、イグナイタの外径寸法が設定値より大きい場合には、イグナイタに過剰な応力がかかり、イグナイタ１５の耐久性に悪影響を及ぼす。そのため、従来は上記誤差を吸収できるようにリブ状の突起の高さ等を設定しており、イグナイタを正確に位置決めすることができなかった。
【０００４】
この発明は、上記に鑑み提案されたもので、補助収容部内に収納されるイグナイタに寸法誤差が存在しても、過度な応力を与えたりすることなく精度よく位置決めすることのできる内燃機関用点火コイルを提供することを目的とするものである。
【課題を解決するための手段】
【０００５】
上記目的を達成する為に、本発明の内燃機関用点火コイルは、一次電流を断続するイグナイタを絶縁ケースの補助収容部に収容した内燃機関用点火コイルであって、前記イグナイタを保持し左右位置を規制する一対のアーム部材を備えたことを特徴としている。
【０００６】
また、本発明において、前記アーム部材は、絶縁ケースの補助収容部内壁面から立設されたことを特徴とする。
【０００７】
また、本発明において、前記アーム部材は補助収容部内に装着可能な位置決め治具から立設されたことを特徴とする。
【０００８】
また、本発明において、前記位置決め治具はイグナイタの底面側を規制する突起を有することを特徴とする。
【発明の効果】
【０００９】
この発明は上記した構成からなるので、以下に説明するような効果を奏することができる。
【００１０】
本発明では、一次電流を断続するイグナイタを絶縁ケースの補助収容部に収容した内燃機関用点火コイルであって、前記イグナイタを保持し左右位置を規制する一対のアーム部材を備えたので、イグナイタに過剰な応力が加わることなく、精度よく位置決めができる。また、本発明では、前記アーム部材は、補助収容部内に装着可能な位置決め治具から立設されたので、イグナイタを予めこの位置決め治具に取り付けた後に補助収容部内に装着することができるので、取り付け操作が容易である。また、本発明では、前記位置決め治具は、イグナイタの底面側を規制する突起を有するので、イグナイタの左右位置だけでなく、上下位置も精度よく位置決めすることができる。
【発明を実施するための最良の形態】
【００１１】
内燃機関用点火コイルに装着するイグナイタを一対のアーム部材で、保持し左右位置を規制するので、イグナイタに過剰な応力を発生させることなく、位置決めができ、内燃機関用点火コイルの信頼性を向上するという目的が達成できる。
【実施例】
【００１２】
以下、一実施の形態を示す図面に基づいて本発明を詳細に説明する。図１は、本発明に係る内燃機関用点火コイルの一例を示す平面図、図２は本発明の内燃機関用点火コイルの縦断面図である。ここで、内燃機関用点火コイル１０は、絶縁ケース１１内に珪素鋼板を積層して形成した鉄心１２を使用した磁気回路に一次コイル１３及び二次コイル１４を巻回し、前記一次コイル１３に流れる電流を絶縁ケース１１の補助収容部１７に収容したイグナイタ１５で断続することにより電磁誘導を起し、それにより発生した逆起電力を前記二次コイル１４により昇圧し高電圧を発生させるものであって、このイグナイタ１５をその稜線部１５ｆで保持し左右位置を規制する一対のアーム部材１６を備えている。
【００１３】
アーム部材１６は、絶縁ケース１１の補助収容部内壁面或いは位置決め治具２１から先端が互いに近接するように斜めに立設されている。また、アーム部材１６の先端は、折曲部１６ａを有しており、この折曲部１６ａで間に装着するイグナイタ１５の稜線部を押圧する。
【００１４】
絶縁ケース１１の補助収容部１７内には、イグナイタ１５が収納されその一端が一次端ソケット１８から延設された一次端子１９と接続される。また、別の端子は、一次コイル１３と接続される。更に、絶縁樹脂２０を充填し、樹脂の硬化に伴って補助収容部１７内に強固に固定する。
【００１５】
図３は、本発明の内燃機関用点火コイルに使用される位置決め治具２１を示す正面図、図４は同位置決め治具２１を示す平面図、図５は同位置決め治具２１を示す側面図である。ここで、位置決め治具２１は、補助収容部１７に挿入可能な寸法の基板２２とこの基板２２の両側から前方に向けて立設されたアーム部材１６と半球状突起２３を備えている。アーム部材１６は、イグナイタ１５を左右から挟み込む程度の寸法に配置されており、半球状突起２３は、イグナイタ１５の下端近傍に形成された孔２４に嵌合する寸法に形成されている。また、半球状突起２３は、突出方向にバネ付勢されていてもよい。更に、半球状突起自体が弾性部材から構成されていてもよい。
【００１６】
また、図６（ａ）は、イグナイタの正面図、（ｂ）は、イグナイタの側面図である。一般に、イグナイタ１５は、左右に稜線１５ｆを有するほぼ長方形状の本体１５ａとそこから上に延設された接続端子１５ｂと、下端に孔２４を有する端部１５ｃを備えている。
【００１７】
以上のように構成した位置決め治具２１は、図７に示すように先ずイグナイタ１５をアーム部材１６、半球状突起２３で保持した後、絶縁ケース１１の補助収容部１７内に装着する。このように予めイグナイタを位置決め治具２１で保持した後に補助収容部１７に装着し、絶縁樹脂を充填するのでイグナイタの外形寸法にバラツキが存在しても、これらを吸収して精度よく位置決めすることができる。また、アーム部材１６は、イグナイタ外装の稜線１５ｆ部分を押さえるので、内部の電子回路まで応力が及ぶことがない。
【００１８】
図８は、同位置決め治具の他の実施例を示す正面図、図９は、同位置決め治具の他の実施例を示す平面図、図１０は、同位置決め治具の他の実施例を示す側面図である。本実施例の位置決め治具２５は、イグナイタ１５の両側面にアーム部材１６が底面側に弾性部材２６が配設されており、このアーム部材で狭持する。アーム部材１６は、互いに近接するように傾斜して左右に対向配置されている。また、弾性部材２６は、イグナイタ１５の端部１５ｃを下から押さえるように立設されている。図１１（ａ）は、同位置決め治具にイグナイタ１５を装着した状態を示す正面図、（ｂ）は、その側面図である。
【００１９】
以上のように構成した位置決め治具２５は、半導体パッケージの外形寸法精度が不揃いであっても、イグナイタに応力を掛けることなく位置決めすることができる。したがって、応力によるイグナイタの故障等の発生を未然に防止することができる。
【００２０】
他の実施例として、イグナイタ１５を狭持するアーム部材１６を絶縁ケース１１の補助収容部１７の内壁面から直接立設させて構成してもよい。アーム部材１６は、イグナイタ１５に無理な力を加えない範囲で狭持するように配置する。
【００２１】
以上のように構成した内燃機関用点火コイル２０は、イグナイタ１５の外形寸法にバラツキが存在しても、過度な応力が加わることなく位置決めすることができる。したがって、イグナイタが応力で破損するのを未然に防止することができる。
【図面の簡単な説明】
【００２２】
【図１】図１は、本発明に係る内燃機関用点火コイルの一例を示す平面図である。
【図２】図２は、同内燃機関用点火コイルの縦断面図である。
【図３】図３は、本発明の内燃機関用点火コイルに使用される位置決め治具を示す正面図である。
【図４】図４は、同位置決め治具を示す平面図である。
【図５】図５は、同位置決め治具を示す側面図である。
【図６】図６（ａ）は、イグナイタの正面図、（ｂ）は、イグナイタの側面図である。
【図７】図７（ａ）は、同位置決め治具にイグナイタを装着した状態を示す正面図、（ｂ）は、その側面図、（ｃ）は、その平面図である。
【図８】図８は、同位置決め治具の他の実施例を示す正面図である。
【図９】図９は、同位置決め治具の他の実施例を示す平面図である。
【図１０】図１０は、同位置決め治具の他の実施例を示す側面図である。
【図１１】図１１（ａ）は、同位置決め治具にイグナイタを装着した状態を示す正面図、（ｂ）は、その側面図である。
【図１２】図１２は、従来の内燃機関用点火コイルの一例を示す平面図である。
【図１３】図１３は、従来の内燃機関用点火コイルの一例を示す縦断面図である。
【符号の説明】
【００２３】
１０      内燃機関用点火コイル
１１      絶縁ケース
１２      鉄心
１３      一次コイル
１４      二次コイル
１５      イグナイタ
１６      アーム部材
１６ａ    折曲部
１７      補助収容部
１８      一次端ソケット
１９      一次端子
２０      絶縁樹脂
２１      位置決め治具
２２      基板
２３      半球状突起
２４      孔
２５      位置決め治具
２６      弾性部材
【図１】
2006328990.tif 000003
【図２】
2006328990.tif 000004
【図３】
2006328990.tif 000005
【図４】
2006328990.tif 000006
【図５】
2006328990.tif 000007
【図６】
2006328990.tif 000008
【図７】
2006328990.tif 000009
【図８】
2006328990.tif 000010
【図９】
2006328990.tif 000011
【図１０】
2006328990.tif 000012
【図１１】
2006328990.tif 000013
【図１２】
2006328990.tif 000014
【図１３】
2006328990.tif 000015